【事件の表示】
　特願２００５−　７４２１７「画像形成装置及び画像形成方法」拒絶査定不服審判事件〔平成１８年　９月２８日出願公開、特開２００６−２５９０１８〕について、次のとおり審決する。
【結　論】
　本件審判の請求は、成り立たない。
【理　由】
Ｉ．手続きの経緯
　本願は平成１７年３月１６日の出願であって、平成２１年７月１６日付けで拒絶理由が通知され，同年９月２４日付けで手続補正書が提出されたが，同年１１月１１日付けで拒絶査定され，これに対し平成２２年２月１７日付けで拒絶査定に対する審判請求がなされるとともに同年同日付けで手続補正書が提出され，更に同年１０月８日付けで当審による拒絶理由が通知されたのに対し，同年１２月１３日に手続補正書が提出されたものである。
　
II．本願発明
　本願の請求項１−６に係る発明は，平成２２年１２月１３日付け手続補正書により補正された明細書の特許請求の範囲１−６に記載された事項によって規定されるとおりのものであると認められ，そのうち請求項１に係る発明（以下，「本願発明１」という。）は以下のとおりのものである。
　
【請求項１】
　静電潜像担持体と，該静電潜像担持体上に静電潜像を形成する静電潜像形成手段と，該静電潜像をトナーを用いて現像して可視像を形成する現像手段と，該可視像を記録媒体に転写する転写手段と，記録媒体に転写された転写像を定着させる定着手段と，静電潜像担持体の残留電荷を光除電する除電手段とを少なくとも有する画像形成装置であって，前記除電手段が４６１ｎｍ以下の波長領域にのみ発光強度を有する光を照射する除電手段であると共に，前記静電潜像担持体が，支持体と，該支持体上に少なくとも電荷発生層と，下記（XIII）式乃至（XV）式で表される電荷輸送物質の１種を含み，前記除電光を３０％以上透過する電荷輸送層とからなる感光層を有し，該電荷発生層中にＣｕＫαの特性Ｘ線に対するブラッグ角２θの回折ピーク（±０．２゜）として少なくとも２７．２゜に最大回折ピークを有し，更に９．４゜，９．６゜，２４．０゜に主要なピークを有し，最も低角側の回折ピークとして７．３゜にピークを有し，該７．３°のピークと９．４゜のピークの間にピークを有さず，更に２６．３°にピークを有さないチタニルフタロシアニン結晶を含有することを特徴とする画像形成装置。
【化１】
【化２】
【化３】
　
III．引用刊行物
III−１．引用刊行物１
　本願の出願前に頒布された特開２００４−２８７１０４号公報(当審による拒絶理由で使用した引用刊行物１，以下，「引用刊行物１」という。)には，以下の事項が記載されている。（下線は当審にて付与した。）
　
【0070】図３は，本発明の電子写真プロセス及び画像形成装置を説明するための概略図であり，下記に示すような変形例も本発明の範疇に属するものである。
【0071】図３において感光体(1)は，導電性支持体上に少なくとも電荷発生層，電荷輸送層を含む感光層が設けられてなる。感光体(1)はドラム形状を示しているが，シート状，エンドレスベルト状のものであってもよい。帯電ローラ(3)，転写前チャージャ(7)，転写チャージャ(10)，分離チャージャ(11)，クリーニング前チャージャ(13)には，コロトロン，スコロトロン，固体帯電器(ソリッド・ステート・チャージャー)，帯電ローラ，転写ローラを始めとする公知の手段が用いられる。
　
【0076】また，画像露光部(5)，
除電ランプ(2)等の光源には
所望の波長域の光のみを照射するために，シャープカットフィルター，バンドパスフィルター，近赤外カットフィルター，ダイクロイックフィルター，干渉フィルター，色温度変換フィルターなどの各種フィルターを用いることもできる
【0078】さて，現像ユニット(6)により感光体(1)上に現像されたトナーは，転写紙(9)に転写されるが，全部が転写されるわけではなく，感光体(1)上に残存するトナーも生ずる。
　
【0083】＜合成例＞
　１，３−ジイミノイソインドリン２９．２ｇとスルホラン２００ｍｌを混合し，窒素気流下でチタニウムテトラブトキシド２０．４ｇを滴下する。滴下終了後，徐々に１８０℃まで昇温し，反応温度を１７０℃〜１８０℃の間に保ちながら５時間撹拌して反応を行なった。反応終了後，放冷した後析出物を濾過し，クロロホルムで粉体が青色になるまで洗浄し，つぎにメタノールで数回洗浄し，さらに８０℃の熱水で数回洗浄した後乾燥し，粗チタニルフタロシアニンを得た。粗チタニルフタロシアニンを２０倍量の濃硫酸に溶解し，１００倍量の氷水に撹拌しながら滴下し，析出した結晶をろ過，ついで洗浄液が中性になるまで水洗いを繰り返し，チタニルフタロシアニン顔料のウェットケーキを得た。得られたこのウェットケーキ２ｇをテトラヒドロフラン２０ｇに投入し，４時間攪拌を行なっ
た。これにメタノール１００ｇを追加して，１時間攪拌を行なった後，濾過を行ない，乾燥して，本発明のチタニルフタロシアニン粉末を得た。得られたチタニルフタロシアニン粉末を，下記の条件によりＸ線回折スペクトル測定したところ，Ｃｕ−Ｋα線（波長１．５４２Å）に対するブラッグ角２θが２７．２±０．２°に最大ピークと最低角７．３±０．２°にピークを有し，かつ７．４〜９．４°の範囲にピークを有さないチタニルフタロシアニン粉末を得られた。その結果を図６に示す。
【0084】（Ｘ線回折スペクトル測定条件）
　　Ｘ線管球：Ｃｕ
　　電圧：５０ｋＶ
　　電流：３０ｍＡ
　　走査速度：２°／分
　　走査範囲：３°〜４０°
　　時定数：２秒 
　ここで，
チタニルフタロシアニンのスペクトルを示す図６は次のとおり
27.2°に最大回折ピークを有し，更に9.4°，9.6°，24.0°に主要なピークを有し最も低角側の回折ピークとして7.3°にピークを有し，該7.3°のピークと9.4°のピークの間にはピークは有さず，更に26.3°にはピークを有していない
【図６】
　【0085】
（実施例１）
　表面粗さ１．０μｍとなるような切削粗面処理を行なった，外径３０ｍｍ，長さ３４０ｍｍのアルミニウム素管に，ビーズミリング分散により顔料の平均粒径が０．２μｍになるように調製した下記組成の電荷発生層用塗工液を浸漬塗布した。続いて，８０℃で２０分間乾燥し，膜厚０．２μｍの電荷発生層を形成した。
［電荷発生層用塗工液］
合成例のチタニルフタロシアニン顔料　　　　　　　　　　　　　１５部
ポリビニルアセタール樹脂(エスレックＢＸ−１：積水化学社製)７．５部
（Ｍｗ／Ｍｎ：３．１，Ｍｎ＝１２０,０００）
メチルエチルケトン　　　　　　　　　　　　　　　　　　　　６００部
　また，作製した電荷発生層の表面を反射型電子顕微鏡（ＳＥＭ，日立：Ｓ−４７００）にて，５００００倍の倍率で観察を行い，映し出されたチタニルフタロシアニン粒子（針状に近い形）を３０個任意に選び出し，それぞれの長径の大きさを測定した。その結果平均粒径は塗布液中での粒径と同様に０．２μｍであった。
【0086】
　続いて，下記組成の電荷輸送層塗工液を前記電荷発生層上に塗布し，１３０℃で２０分間乾燥して膜厚２５μｍの電荷輸送層を形成し，電子写真感光体を作製した。
［電荷輸送層塗工液］
ポリカーボネート樹脂（ユーピロンＺ２００：三菱ガス化学社製）　１０部
下記式（１２）の電荷輸送材料
テトラヒドロフラン（ＴＨＦ）　　　　　　　　　　　　　　　　　８０部
【0087】式(１２)
　
III−２．引用刊行物２
　本願の出願前に頒布された特開２００４−２８７０７０号公報(当審による拒絶理由で使用した引用刊行物２，以下「引用刊行物２」という。)には以下の事項が記載されている。
（下線は当審にて付与した）
　
【請求項１】・・・(中略)・・・感光層の塗工層としてCukα特性X線回折におけるブラッグ角(2θ±0.2°)の回折ピークとして，少なくとも
27.2°に最大回折ピークを有し，更に9.4°，9.6°，24.0°に主要なピークを有し，かつ最も低角側の回折ピークとして7.3°にピークを有し，7.4°以上9.4°未満の範囲にピークを有さず
　
【請求項７】導電性支持体上に，少なくとも電荷発生層，電荷輸送層を積層した電子写真用感光体であって、該電荷発生層を請求項１〜６のいずれかに記載の製造方法にて形成したことを特徴とする電子写真感光体。
　
【0174】図１０は，本発明の電子写真プロセス及び電子写真装置を説明するための概略図であり，下記するような変形例も本発明の範疇に属するものである。
【図１０】
　
【0200】（顔料作製例１）
　１，３−ジイミノイソインドリン２９２部とスルホラン１８００部を混合し，窒素気流下でチタニウムテトラブトキシド２０４部を滴下する。滴下終了後，徐々に１８０℃まで昇温し，反応温度を１７０℃〜１８０℃の間に保ちながら５時間撹拌して反応を行った。反応終了後，放冷した後析出物を濾過し，クロロホルムで粉体が青色になるまで洗浄し，つぎにメタノールで数回洗浄し，さらに８０℃の熱水で数回洗浄した後乾燥し，粗チタニルフタロシアニンを得た。
【0201】得られた熱水洗浄処理した粗チタニルフタロシアニン顔料のうち６０部を９６％硫酸１０００部に　３〜５℃下撹拌，溶解し，ろ過した。得られた硫酸溶液を氷水３５０００部中に撹拌しながら滴下し，析出した結晶を濾過，ついで洗浄液が中性になるまで水洗を繰り返し，チタニルフタロシアニン顔料の水ペーストを得た。
【0202】この水ペーストにテトラヒドロフラン１５００部を加え，室温下でホモミキサー（ケニス，ＭＡＲＫIIｆモデル）により強烈に撹拌（２０００ｒｐｍ）し，ペーストの濃紺色の色が淡い青色に変化したら（撹拌開始後２０分），撹拌を停止し，直ちに減圧濾過を行った。濾過装置上で得られた結晶をテトラヒドロフランで洗浄し，顔料のウェットケーキ９８部を得た。これを減圧下（５ｍｍＨｇ），７０℃で２日間乾燥して，チタニルフタロシアニン結晶７８部を得た。これを顔料１とする。
【0224】（感光体の作製）
　感光体作製例１：
　直径６０ｍｍのアルミニウムシリンダー（ＪＩＳ１０５０）に，下記組成の下引き層塗工液，電荷発生層塗工液，および電荷輸送層塗工液を，順次塗布・乾燥し，３．５μｍの下引き層，０．２μｍの電荷発生層，１９μｍの電荷輸送層を形成し，積層感光体を作製した（これを感光体１とする）。
【0225】
［下引き層塗工液］
　　酸化チタン（ＣＲ−ＥＬ：石原産業社製）　　　　　　　　　　７０部
　　アルキッド樹脂（ベッコライトＭ６４０１−５０−Ｓ
　　　　（固形分５０％），大日本インキ化学工業製）　　　　　　１５部
　　メラミン樹脂（スーパーベッカミンＬ−１２１−６０
　　　　（固形分６０％），大日本インキ化学工業製）　　　　　　１０部
　　２−ブタノン　　　　　　　　　　　　　　　　　　　　　　１００部
【0226】
［電荷発生層塗工液］
　前記の分散液１を用いた。
【0227】
［電荷輸送層塗工液］
　　ポリカーボネート（ユーピロンＺ３００：三菱ガス化学社製）　１０部
　　
下記構造式の電荷輸送物質
　　　テトラヒドロフラン　　　　　　　　　　　　　　　　　　　８０部
【図１６】
　顔料作製例１で得られたチタニルフタロシアニン結晶のＸ線回折スペクトルを示す図である。
　
　これら記載事項によれば，刊行物１・２には共に，次の発明（以下，「引用発明１・２」という。）が記載されているものを認められる。
　「感光体(1)と，該感光体(1)上に静電潜像を形成する画像露光部(5)と，該静電潜像をトナーを用いて現像して可視像を形成する現像ユニット(6)と，該可視像を転写紙(9)に転写する転写チャージャ(10)と，転写紙に転写された転写像を定着させる定着手段と，感光体(1)の残留電荷を光除電する除電ランプ(2)とを有する画像形成装置であって，感光体(1)が導電性支持体と，該導電性支持体上に電荷発生層と電荷輸送層とからなる感光層を有し，該電荷発生層中にCukα特性X線回折におけるブラッグ角(2θ±0.2°)として，少なくとも27.2°に最大回折ピークを有し，更に9.4°，9.6°，24.0°に主要なピークを有し最も低角側の回折ピークとして7.3°にピークを有し，該7.3°のピークと9.4°のピークの間にはピークは有さず，更に26.3°にはピークを有さないチタニルフタロシアニン結晶を含有し，電荷輸送層中には電荷輸送材料として
を含有する画像形成装置」
　
III−３．引用刊行物３
　本願の出願前に頒布された特開２００４−４５９９６号公報(当審による拒絶理由で使用した引用刊行物３，以下「引用刊行物３」という。)には次の事項が記載されている。（下線は当審にて付与した。）
　
【請求項１】光導電層に
フタロシアニン化合物を含有する電子写真用感光体に対して，該フタロシアニン化合物のソーレー帯に対する光照射を行うことで，該電子写真用感光体を除電する電子写真方法
【請求項３】電荷発生層と電荷輸送層の少なくとも２層から構成される電子写真用感光体を用いる請求項２記載の電子写真画像形成装置
【請求項４】請求項３記載の電子写真感光体において，該
電荷発生層がオキシチタニルフタロシアニンを含有する電子写真用感光体
　
【請求項６】請求項３記載の電子写真感光体において，該
電荷輸送層の波長400nmにおける透過率が50％以上である電子写真感光体
　
【0008】
フタロシアニン化合物は，350nm付近に吸収極大をもつソーレー帯と呼ばれる吸収帯
フタロシアニン化合物を電荷発生材料として含有する電子写真感光体に対し，ソーレー帯に対応する波長の光を一次帯電前露光光として照射しておくことにより，像露光時における感光体表面電位を低減できることを見いだした
【0009】この際，フタロシアニン化合物のソーレー帯に対応する一次帯電前露光光源としては，ハロゲンランプ，キセノンランプ，メタルハライドランプ，
ＬＥＤランプ
　
【0036】
（実施例１）
（電荷発生層の吸収スペクトル測定）
　ＣｕＫα特性Ｘ線回折におけるブラッグ角（２θ±０．２゜）の９．０゜，１４．２゜，２３．９゜及び２７．９゜に強いピークを有するオキシチタニルフタロシアニン顔料５部をシクロヘキサノン９５部にポリビニルベンザール（ベンザール化度７５％以上）２部を溶解した液に加え，サンドミルで２時間分散した。
【0037】この分散液をＰＥＴフィルム上にマイヤーバーで塗布し乾燥して電荷発生層を形成した。
【0038】このフィルムの吸収スペクトルを，紫外−可視吸光光度計（商品名：Ｕ−３３００，日立製作所（株）製）で測定した結果を図３に示す。
　　
【0039】　図３から，本実施例の条件下においては，
フタロシアニン化合物のソーレー帯は，極大吸収波長が３５０ｎｍであり，長波長側の吸収端は４４０ｎｍにまで広がっていることが解る
【0040】（実施例２）
（
電荷輸送層の吸収スペクトル測定
　下記構造式を有するトリフェニルアミン化合物８部とポリカーボネート樹脂（商品名：Ｚ−２００，三菱瓦斯化学（株）製）１０部をクロロベンゼンに溶解した溶液をＰＥＴフィルム上にマイヤーバーで塗布し乾燥して電荷輸送層を形成した。このフィルムをＣＴＬ１とする。
【0041】
　ＣＴＬ１の吸収スペクトルを，紫外−可視吸光光度計（商品名：Ｕ−３３００，日立製作所（株）製）で測定した結果を図４に示す。
【図４】
【0042】
　
図３および図４から，ＣＴＬ１は，実施例１におけるフタロシアニン化合物のソーレー帯に対応する波長の長波長側を透過可能であることが解る。
　これらの記載事項から，引用刊行物３には，積層型電子写真感光体の電荷発生層にチタニルフタロシアニン化合物を使用した際に，除電光波長としてフタロシアニン化合物のソーレー帯(350nm付近)を照射することにより感光体表面電位を低減できること，及び，当該ソーレー帯に対応する波長の長波長側(図４より読み取ると400nm〜)は電荷輸送層を透過可能であること，ソーレー帯に対応する一次帯電前露光光源としては単波長光源であるＬＥＤランプが使用できることが記載されている。
　
III−４．引用刊行物４
　本願の出願前に頒布された特開２０００−１９４１７９号公報（当審による拒絶理由で使用した引用刊行物４，以下「引用刊行物４」という。）の【0069】[実施例２]には，除電光の波長を450nmのＬＥＤとした電子写真装置が記載されている。
　
IV．対比・判断
　本願発明１と引用発明１・２とを対比すると，
　引用発明１・２の「感光体(1)」「画像露光部(5)」「現像ユニット(6)」「転写紙(9)」「転写チャージャ(10)」「光除電する除電ランプ(2)」は，それぞれ，
　本願発明１の「静電潜像担持体」「静電潜像形成手段」「現像手段」「記録媒体」「転写手段」「光を照射する除電手段」に相当する。
　
　また，引用刊行物１・２には，定着手段については文章及び図面中に詳細には説明がないが，電子写真画像形成装置である以上は通常有している構造であり，記載されているに等しい事項である。
　
　そうすると，両発明の一致点，相違点は次のとおりと認められる。
[一致点]
「静電潜像担持体と，該静電潜像担持体上に静電潜像を形成する静電潜像形成手段と，該静電潜像をトナーを用いて現像して可視像を形成する現像手段と，該可視像を記録媒体に転写する転写手段と，記録媒体に転写された転写像を定着させる定着手段と，静電潜像担持体の残留電荷を光除電する除電手段とを少なくとも有する画像形成装置であって，前記除電手段が光を照射する除電手段であると共に，前記静電潜像担持体が，支持体と，該支持体上に少なくとも電荷発生層と電荷輸送層とからなる感光層を有し，該電荷発生層中にＣｕＫαの特性Ｘ線に対するブラッグ角２θの回折ピーク（±０．２゜）として少なくとも２７．２゜に最大回折ピークを有し，更に９．４゜，９．６゜，２４．０゜に主要なピークを有し，最も低角側の回折ピークとして７．３゜にピークを有し，該７．３°のピークと９．４゜のピークの間にピークを有さず，更に２６．３°にピークを有さないチタニルフタロシアニン結晶を含有する画像形成装置。」
　
[相違点１]
　本願発明１は，光除電手段が461nm以下の波長領域にのみ発光強度を有する構成を有しているのに対して，刊行物１・２記載の発明においては光除電手段の発光波長については特定がない点。
[相違点２]
　本願発明１は，電荷輸送層が除電光を３０％以上透過する性質を有しているのに対し，刊行物１・２記載の発明においては電荷輸送層の除電光に対する透過率について明記されておらず不明である点。
[相違点３]
　本願発明１は，電荷輸送層が(XIII)式乃至(XV)式で表される電荷輸送物質の１種を含む構成を有しているのに対して，引用発明１・２において使用される電荷輸送物質は(XIII)式乃至(XV)式により規定される化合物ではない点
　
以下に相違点について検討する。
　
　[相違点１]について
　引用発明１・２においては，除電光光源の種類については特定されていない。また，所望の波長域の光のみを照射するために，各種の波長カットフィルタを用いることは記載されているが，選択波長域についても記載はない。
　ここで，引用刊行物３には積層型電子写真感光体の電荷発生層にチタニルフタロシアニン化合物を使用した際に，除電光波長としてフタロシアニン化合物のソーレー帯(350nm付近)を照射することにより感光体表面電位を低減できること，及び，当該ソーレー帯に対応する波長の長波長側(図４より読み取ると400nm〜)は電荷輸送層を透過可能であること，ソーレー帯に対応する一次帯電前露光光源としては単波長光源であるＬＥＤランプが使用できることが記載されている。してみると，同様にチタニルフタロシアニン化合物を電荷発生層に使用した引用発明１・２における電子写真画像形成装置における除電光として，引用刊行物３に記載されているとおり，フタロシアニン化合物のソーレー帯であって，かつ，電荷輸送層を透過可能な波長域である400nm〜付近の波長域を選択することは当業者が容易に想到し得たことである。そして，引用刊行物１・２には所望の波長域の光のみを照射するために，シャープカットフィルター，バンドパスフィルター，近赤外カットフィルター，ダイクロイックフィルター，干渉フィルター，色温度変換フィルターなどの各種フィルターを用いることもできることも示唆されており，引用刊行物３には除電光源として単波長光源であるＬＥＤランプが使用できることが記載されており，引用刊行物４には実際に450nmのＬＥＤランプを除電光源として採用した電子写真装置が記載されているから，461nm以下の波長領域にのみ発光強度を有する単色光源を適宜選択するか，各種光源と波長カットフィルタとの組合せにより特定波長域のみに発光強度を有する光学系により除電光光源を構成することは当業者が容易に想到し得たことである。
　
　[相違点２]について
　引用刊行物１・２には電荷輸送層が除電光を３０％以上透過するか否かについては明記されていないが，前記「III−３．引用刊行物３」で記載したように引用刊行物３【請求項６】には電荷輸送層の波長400nmにおける透過率が５０％以上にすることが記載されており，かつ，引用刊行物３【0042】には電荷輸送層が除電光に使用するチタニルフタロシアニン化合物のソーレー帯に対応する波長の長波長側（【図４】より読み取ると，400nm付近以上）に対応する波長域を透過可能とすることが記載されている。してみると，チタニルフタロシアニン化合物を使用した電子写真感光体を搭載した引用発明１・２の電子写真装置において，引用刊行物３記載のソーレー帯に対応する波長域を利用した除電光源を採用するに際し，引用刊行物３に記載されているように，当該ソーレー帯に対応する波長の長波長側に対応する波長域の電荷輸送層の透過率を５０％以上として効率的な光除電を図ることは当業者が容易に想到し得たことである。
　
　[相違点３]について
　引用発明１・２において使用されている電荷輸送材料
　は，
　(XIII)式　
　(XIV)式
　(XV)式
　を満たす化合物ではないが，
　(XIII)式の電荷輸送材料は特開２００３−５７９２６号公報【0141】等，
　(XIV)式の電荷輸送材料は特開２００４−１２６５２１号公報【0148】等，
　(XV)式の電荷輸送材料は特開平９−１４６２８８号公報【0038】等に記載されているように周知化合物であって，これら(XIII)式乃至(XV)式で規定される電荷輸送材料を含有する電荷輸送層とチタニルフタロシアニン電荷発生層とを組み合わせることについても周知技術であるから，引用発明１・２における電荷輸送材料に替えて，周知の(XIII)式乃至(XV)式で規定される電荷輸送材料を使用することは当業者であれば適宜なし得る事項である。
　
　請求人は平成２２年１２月１３日提出の意見書において，「本願では，電荷輸送物質を特定することにより，除電光として４６１nm以下の波長領域にのみ発光強度を有する光を感光体（電荷発生層)に効率良く照射する工夫がなされています。これにより，短波長領域の除電光を照射した際に生み出される効果をいかんなく発揮されるものであります。」と説明しているが，除電光波長と電荷輸送層中の電荷輸送材料の透過率との関係は，前記「III−３．引用刊行物３」において記載したとおり，引用刊行物３に記載されているものであるから，予測を超える効果をもたらすものではなく，また，本願明細書全体を参酌したが，電荷輸送材料を周知の(XIII)式乃至(XV)式化合物に特定することにより，格別の効果を生じるとも認められない。
　
　したがって，本願発明１は，引用刊行物１・２，３，４記載の発明に基づいて当業者が容易に発明をすることができたものである。
　
Ｖ．むすび
　以上のとおり，本願の請求項１に係る発明は，特許法第２９条第２項の規定により，特許を受けることができないものであるから，他の請求項については検討するまでもなく，本願は拒絶すべきものである。
　
　よって結論のとおり審決する。